【手続補正書】
【提出日】平成21年9月24日(2009.9.24)
【手続補正１】
【補正対象書類名】明細書
【補正対象項目名】発明の名称
【補正方法】変更
【補正の内容】
【発明の名称】共振型ＡＣ−ＤＣコンバーター装置
【手続補正２】
【補正対象書類名】明細書
【補正対象項目名】特許請求の範囲
【補正方法】変更
【補正の内容】
【特許請求の範囲】
【請求項１】
「交流電圧を供給する為の交流電源手段」と、
「第１の共振用キャパシタンス手段」と、
「第１の共振用インダクタンス手段」と、
「全波整流機能または半波整流機能を持ち、『前記第１の共振用キャパシタンス手段の電圧を所定電圧方向にする為の第１の閉回路を前記交流電源手段、前記第１の共振用キャパシタンス手段および前記第１の共振用インダクタンス手段と共に形成する』為に機能し、前記第１の共振用キャパシタンス手段と前記第１の共振用インダクタンス手段の共振電流の流れを１方向に制限する、少なくとも１つの可制御スイッチング手段を持つ第１の閉回路形成スイッチング手段」と、
「入力用インダクタンス手段と出力用インダクタンス手段を磁気結合した変圧手段」と、
「前記出力用インダクタンス手段の出力電圧を『全波整流で』又は『前記出力用インダクタンス手段と共にセンター・タップ型で』又は『倍電圧整流で』又は『プラス側もマイナス側も』整流する整流手段」と、
「前記整流手段が整流した電圧を平滑する『平滑用キャパシタンス手段または平滑用充放電手段』」と、
「前記第１の共振用キャパシタンス手段の電圧の大きさを前記入力用インダクタンス手段の電圧の大きさと『前記第１の閉回路形成スイッチング手段が前記交流電圧を整流した脈流電圧の瞬時値の大きさ』の和にクランプする第１の電圧クランプ手段」と、
「第２の共振用インダクタンス手段」と、
「『前記第１の共振用キャパシタンス手段の電圧を前記所定電圧方向と逆向きの電圧方向にする為の第２の閉回路を前記第１の共振用キャパシタンス手段と前記第２の共振用インダクタンス手段と共に形成する』為に機能し、前記第１の共振用キャパシタンス手段と前記第２の共振用インダクタンス手段の共振電流の流れを１方向に制限する、少なくとも１つの可制御スイッチング手段を持つ第２の閉回路形成スイッチング手段」と、
「『前記第１の電圧クランプ手段のクランプ時に前記出力用インダクタンス手段が出力する電圧の極性と正反対の極性の電圧』を前記出力用インダクタンス手段が出力する様に前記第１の共振用キャパシタンス手段の電圧の大きさを前記入力用インダクタンス手段の電圧の大きさにクランプする第２の電圧クランプ手段」と、
「『前記第１の閉回路形成スイッチング手段をオン制御して前記第１の閉回路を形成させ、前記第１の共振用インダクタンス手段の電流が流れることをゼロから始めさせてゼロで終わらさせて、前記第１の共振用キャパシタンス手段の電圧を前記所定電圧方向にさせたり』、『前記第２の閉回路形成スイッチング手段をオン制御して前記第２の閉回路を形成させ、前記第２の共振用インダクタンス手段の電流が流れることをゼロから始めさせてゼロで終わらさせて、前記第１の共振用キャパシタンス手段の電圧を前記所定電圧方向と逆向きの電圧方向にさせたり』を交互に繰り返す為に機能する『オン制御手段またはオン・オフ制御手段』」、
を有することを特徴とする共振型ＡＣ−ＤＣコンバーター装置。
【請求項２】
前記交流電源手段が「その交流電源周波数を通過させる機能を持つノイズ・フィルター手段」を有し、このノイズ・フィルター手段を介して前記交流電圧を供給することを特徴とする請求項１記載の共振型ＡＣ−ＤＣコンバーター装置。
【請求項３】
前記第１、第２の共振用インダクタンス手段が前記第１、第２の閉回路共通の同一の共振用インダクタンス手段であることを特徴とする請求項１又は２記載の共振型ＡＣ−ＤＣコンバーター装置。
【請求項４】
前記入力用インダクタンス手段が２つ有って、
前記第１の電圧クランプ手段が前記第１の共振用キャパシタンス手段の電圧の大きさを一方の前記入力用インダクタンス手段の電圧の大きさと前記脈流電圧の瞬時値の大きさの和にクランプし、
前記第２の電圧クランプ手段が前記第１の共振用キャパシタンス手段の電圧の大きさを他方の前記入力用インダクタンス手段の電圧の大きさにクランプし、
それぞれのクランプ時に前記出力用インダクタンス手段が出力する電圧の極性が互いに正反対であることを特徴とする請求項１、２又は３記載の共振型ＡＣ−ＤＣコンバーター装置。
【請求項５】
前記第１の閉回路形成スイッチング手段が前記半波整流機能を持つ請求項１又は２記載の共振型ＡＣ−ＤＣコンバーター装置において、
「その整流電圧極性が前記半波整流機能の整流電圧極性と正反対の半波整流機能を持ち、『前記第１の共振用キャパシタンス手段の電圧を前記所定電圧方向と逆向きの電圧方向にする為の第３の閉回路を前記交流電源手段、前記第１の共振用キャパシタンス手段および前記第２の共振用インダクタンス手段と共に形成する』為に機能し、前記第１の共振用キャパシタンス手段と前記第２の共振用インダクタンス手段の共振電流の流れを１方向に制限する、少なくとも１つの可制御スイッチング手段を持つ第３の閉回路形成スイッチング手段」と、
「前記第１の共振用キャパシタンス手段の電圧の大きさを前記入力用インダクタンス手段の電圧の大きさと『前記第３の閉回路形成スイッチング手段が前記交流電圧を整流した脈流電圧の瞬時値の大きさ』の和にクランプする第３の電圧クランプ手段」と、
「『前記第１の共振用キャパシタンス手段の電圧を前記所定電圧方向にする為の第４の閉回路を前記第１の共振用キャパシタンス手段と前記第１の共振用インダクタンス手段と共に形成する』為に機能し、前記第１の共振用キャパシタンス手段と前記第１の共振用インダクタンス手段の共振電流の流れを１方向に制限する、少なくとも１つの可制御スイッチング手段を持つ第４の閉回路形成スイッチング手段」と、
「『前記第３の電圧クランプ手段のクランプ時に前記出力用インダクタンス手段が出力する電圧の極性と正反対の極性の電圧』を前記出力用インダクタンス手段が出力する様に前記第１の共振用キャパシタンス手段の電圧の大きさを前記入力用インダクタンス手段の電圧の大きさにクランプする第４の電圧クランプ手段」を有し、
前記オン制御手段またはオン・オフ制御手段が「前記第３の閉回路形成スイッチング手段をオン制御して前記第３の閉回路を形成させ、前記第２の共振用インダクタンス手段の電流が流れることをゼロから始めさせてゼロで終わらさせて、前記第１の共振用キャパシタンス手段の電圧を前記所定電圧方向と逆向きの電圧方向にさせたり」、「前記第４の閉回路形成スイッチング手段をオン制御して前記第４の閉回路を形成させ、前記第１の共振用インダクタンス手段の電流が流れることをゼロから始めさせてゼロで終わらさせて、前記第１の共振用キャパシタンス手段の電圧を前記所定電圧方向にさせたり」を交互に繰り返す為にも機能することを特徴とする共振型ＡＣ−ＤＣコンバーター装置。
【請求項６】
前記交流電源手段と前記第１の共振用キャパシタンス手段の直列回路に第２の共振用キャパシタンス手段を並列接続したことを特徴とする請求項５記載の共振型ＡＣ−ＤＣコンバーター装置。
【請求項７】
前記第１、第２の共振用インダクタンス手段が前記第１〜第４の閉回路共通の同一の共振用インダクタンス手段であることを特徴とする請求項５又は６記載の共振型ＡＣ−ＤＣコンバーター装置。
【請求項８】
前記入力用インダクタンス手段が２つ有って、
前記第１の電圧クランプ手段が前記第１の共振用キャパシタンス手段の電圧の大きさを一方の前記入力用インダクタンス手段の電圧の大きさと「前記第１の閉回路形成スイッチング手段が前記交流電圧を整流した脈流電圧の瞬時値の大きさ」の和にクランプし、
前記第２の電圧クランプ手段が前記第１の共振用キャパシタンス手段の電圧の大きさを他方の前記入力用インダクタンス手段の電圧の大きさにクランプし、
前記第３の電圧クランプ手段が前記第１の共振用キャパシタンス手段の電圧の大きさを他方の前記入力用インダクタンス手段の電圧の大きさと「前記第３の閉回路形成スイッチング手段が前記交流電圧を整流した脈流電圧の瞬時値の大きさ」の和にクランプし、
前記第４の電圧クランプ手段が前記第１の共振用キャパシタンス手段の電圧の大きさを一方の前記入力用インダクタンス手段の電圧の大きさにクランプし、
前記第１、第４の電圧クランプ手段の各クランプ時と前記第２、第３の電圧クランプ手段の各クランプ時とでは前記出力用インダクタンス手段が出力する電圧の極性が互いに正反対であることを特徴とする請求項５、６又は７記載の共振型ＡＣ−ＤＣコンバーター装置。
【請求項９】
前記第２の閉回路形成スイッチング手段が全波整流機能または「その整流電圧極性が前記半波整流機能の整流電圧極性と同じ半波整流機能」を持ち、
前記第２の閉回路形成スイッチング手段が、前記交流電源手段を加えた「前記交流電源手段、前記第１の共振用キャパシタンス手段および前記第２の共振用インダクタンス手段」と共に前記第２の閉回路を形成する為に機能し、
前記第２の電圧クランプ手段が前記第１の共振用キャパシタンス手段の電圧の大きさを「前記入力用インダクタンス手段の電圧の大きさ」ではなく「前記入力用インダクタンス手段の電圧の大きさと『前記第２の閉回路形成スイッチング手段が前記交流電圧を整流した脈流電圧の瞬時値の大きさ』の和」にクランプすることを特徴とする請求項１又は２記載の共振型ＡＣ−ＤＣコンバーター装置。
【請求項１０】
前記第１、第２の共振用インダクタンス手段が前記第１、第２の閉回路共通の同一の共振用インダクタンス手段であることを特徴とする請求項９記載の共振型ＡＣ−ＤＣコンバーター装置。
【請求項１１】
前記入力用インダクタンス手段が２つ有って、
前記第１の電圧クランプ手段が前記第１の共振用キャパシタンス手段の電圧の大きさを一方の前記入力用インダクタンス手段の電圧の大きさと「前記第１の閉回路形成スイッチング手段が前記交流電圧を整流した脈流電圧の瞬時値の大きさ」の和にクランプし、
前記第２の電圧クランプ手段が前記第１の共振用キャパシタンス手段の電圧の大きさを他方の前記入力用インダクタンス手段の電圧の大きさと「前記第２の閉回路形成スイッチング手段が前記交流電圧を整流した脈流電圧の瞬時値の大きさ」の和にクランプし、
それぞれのクランプ時に前記出力用インダクタンス手段が出力する電圧の極性が互いに正反対であることを特徴とする請求項９又は１０記載の共振型ＡＣ−ＤＣコンバーター装置。
【請求項１２】
前記入力用、出力用インダクタンス手段の各数が１つずつであり、
前記整流手段と前記出力用インダクタンス手段の接続を切り離し、
前記入力用インダクタンス手段を前記整流手段の入力部で置き換え、
前記変圧手段を取り外したことを特徴とする請求項１、２、３、５、６、７、９又は１０記載の共振型ＡＣ−ＤＣコンバーター装置。